(57)【要約】【課題】放射線撮影の撮影者が、放射線撮影の撮影対象の患者に対して行ったポジショニングの様子とその評価情報を放射線画像と併せて見直して、将来の放射線撮影に役立てることが可能な撮影者支援装置を提供する。【解決手段】検像端末１５のＣＰＵ８２は、第２撮影者支援プログラム８５により、第２受付部８６、第２関連付け処理部８７として機能する。第２受付部８６は、放射線画像ファイル４０、ポジショニング情報４１、およびポジショニングの評価結果６６を受け付ける。第２関連付け処理部８７は、第２受付部８６で受け付けた評価結果６６に基づき、評価情報４２を作成する。第２関連付け処理部８７は、放射線画像ファイル４０およびポジショニング情報４１と同じオーダＩＤ５１を評価情報４２に付す。こうすることで、放射線画像ファイル４０、ポジショニング情報４１、および評価情報４２をオーダＩＤ５１によって関連付ける。【選択図】図１２
2015191557.tif 000002
【特許請求の範囲】
【請求項１】
放射線撮影により得られた放射線画像、前記放射線撮影の撮影者が前記放射線撮影の撮影対象の患者に対して行ったポジショニングの様子を示すポジショニング情報、および前記放射線撮影後に、評価者が前記ポジショニング情報を元に前記ポジショニングを評価した評価情報を受け付ける受付部と、
前記受付部で受け付けた前記放射線画像、前記ポジショニング情報、および前記評価情報を関連付けて記憶部に保存する関連付け処理部とを備えることを特徴とする撮影者支援装置。
【請求項２】
前記関連付け処理部で関連付けた前記放射線画像、前記ポジショニング情報、および前記評価情報を検索可能なデータベースを、前記記憶部に作成する作成部を備えることを特徴とする請求項１に記載の撮影者支援装置。
【請求項３】
前記放射線画像、前記ポジショニング情報、および前記評価情報を前記データベースから検索する検索部を備えることを特徴とする請求項２に記載の撮影者支援装置。
【請求項４】
前記検索部で検索した前記放射線画像、前記ポジショニング情報、および前記評価情報を、外部装置に通信部を介して送信させる通信制御部を備えることを特徴とする請求項３に記載の撮影者支援装置。
【請求項５】
前記関連付け処理部は、前記放射線画像、前記ポジショニング情報、および前記評価情報に対して共通の事例ＩＤを付与することで、前記放射線画像、前記ポジショニング情報、および前記評価情報を関連付けることを特徴とする請求項１ないし４のいずれか１項に記載の撮影者支援装置。
【請求項６】
前記事例ＩＤは、前記撮影者に撮影を指示する撮影オーダのＩＤであることを特徴とする請求項５に記載の撮影者支援装置。
【請求項７】
前記患者に応じて予め設定された前記ポジショニング情報の取得要否を表示部に表示させる表示制御部を備えることを特徴とする請求項１ないし６のいずれか１項に記載の撮影者支援装置。
【請求項８】
前記ポジショニング情報は、前記放射線撮影時に前記撮影者により携帯され、前記放射線撮影の撮影条件を設定するための携帯型コンソールに内蔵されたカメラで撮影された前記ポジショニングの様子を示す画像を含むことを特徴とする請求項１ないし７のいずれか１項に記載の撮影者支援装置。
【請求項９】
前記評価情報は、評価者により入力されるポジショニングの評点および批評を含むことを特徴とする請求項１ないし８のいずれか１項に記載の撮影者支援装置。
【請求項１０】
放射線撮影により得られた放射線画像、前記放射線撮影の撮影者が前記放射線撮影の撮影対象の患者に対して行ったポジショニングの様子を示すポジショニング情報、および前記放射線撮影後に、評価者が前記ポジショニング情報を元に前記ポジショニングを評価した評価情報を受付部で受け付ける受付ステップと、
前記受付ステップで受け付けた前記放射線画像、前記ポジショニング情報、および前記評価情報を、関連付け処理部で関連付けて記憶部に保存する関連付け処理ステップとを備えることを特徴とする撮影者支援方法。
【請求項１１】
放射線撮影により得られた放射線画像、前記放射線撮影の撮影者が前記放射線撮影の撮影対象の患者に対して行ったポジショニングの様子を示すポジショニング情報、および前記放射線撮影後に、評価者が前記ポジショニング情報を元に前記ポジショニングを評価した評価情報を受け付ける受付機能と、
前記受付機能で受け付けた前記放射線画像、前記ポジショニング情報、および前記評価情報を関連付けて記憶部に保存する関連付け処理機能とを、コンピュータに実行させるための撮影者支援プログラム。
【発明の詳細な説明】
【技術分野】
【０００１】
本発明は、放射線撮影の撮影者を支援する撮影者支援装置、撮影者支援方法、並びに撮影者支援プログラムに関する。
【背景技術】
【０００２】
医療現場において、放射線撮影システムを用いて放射線画像を撮影し、放射線画像に基づき診断を行うことが広く実施されている。放射線撮影システムは、放射線を被写体である患者に向けて照射する放射線源と、患者を透過した放射線に基づく放射線画像を検出する放射線画像検出装置とを備えている。
【０００３】
放射線撮影前の準備作業において、医師や放射線技師等の撮影者は、放射線源と放射線画像検出装置の間の所望の位置に患者を整置するポジショニングを行う。ポジショニングを終えた後、撮影者は、放射線源から放射線を照射させて放射線撮影を行う。
【０００４】
放射線画像の出来栄えは診断の信頼性に直結する。そこで、特許文献１には、放射線画像とその評価情報とを関連付けて記憶部に保存する医用情報装置が記載されている。評価情報は、放射線撮影後、放射線画像の出来栄えを診断医や読影医等の評価者が評価したものである。この医用情報装置は、外部装置からの送信要求に応じた放射線画像と評価情報を記憶部から検索し、検索した放射線画像と評価情報を外部装置に送信している。評価情報としては、放射線画像から疾患を発見したか否か、放射線画像を良いと判断したか否か、放射線画像に再撮影の必要があると判断したか否か等が挙げられている。
【先行技術文献】
【特許文献】
【０００５】
【特許文献１】特開２０１１−１１０２８９号公報
【発明の概要】
【発明が解決しようとする課題】
【０００６】
放射線撮影前の準備作業において撮影者が行うポジショニングは、これを誤ると放射線画像が診断に不適なものとなるため、放射線撮影の成否を決める極めて重要なファクターである。したがって、患者をどのように位置決めしたか、患者にどのような指示を出したか等のポジショニングの様子とこれを評価した評価情報を放射線画像と併せて撮影者が見直すことができれば、ポジショニングの改善点を探る等して将来の放射線撮影に役立てることができ、撮影者の撮影技術レベルの向上、および放射線撮影の効率化に貢献することができる。
【０００７】
しかしながら、特許文献１では、放射線画像を見てその出来栄えを評価しているだけで、ポジショニングの様子は評価しておらず、当然ながらポジショニングの様子とその評価情報を放射線画像と関連付けて保存していない。このため、撮影者がポジショニングの様子とその評価情報を放射線画像と併せて見直して、将来の放射線撮影に役立てようにもそれができなかった。
【０００８】
本発明は、上記課題に鑑みてなされたもので、放射線撮影の撮影者が、放射線撮影の撮影対象の患者に対して行ったポジショニングの様子とその評価情報を放射線画像と併せて見直して、将来の放射線撮影に役立てることが可能な撮影者支援装置、撮影者支援方法、並びに撮影者支援プログラムを提供することを目的とする。
【課題を解決するための手段】
【０００９】
上記目的を達成するために、本発明の撮影者支援装置は、放射線撮影により得られた放射線画像、放射線撮影の撮影者が放射線撮影の撮影対象の患者に対して行ったポジショニングの様子を示すポジショニング情報、および放射線撮影後に、評価者がポジショニング情報を元にポジショニングを評価した評価情報を受け付ける受付部と、受付部で受け付けた放射線画像、ポジショニング情報、および評価情報を関連付けて記憶部に保存する関連付け処理部とを備えている。
【００１０】
関連付け処理部で関連付けた放射線画像、ポジショニング情報、および評価情報を検索可能なデータベースを、記憶部に作成する作成部を備えることが好ましい。放射線画像、ポジショニング情報、および評価情報をデータベースから検索する検索部を備えていてもよい。また、検索部で検索した放射線画像、ポジショニング情報、および評価情報を、外部装置に通信部を介して送信させる通信制御部を備えていてもよい。
【００１１】
関連付け処理部は、放射線画像、ポジショニング情報、および評価情報に対して共通の事例ＩＤを付与することで、放射線画像、ポジショニング情報、および評価情報を関連付けることが好ましい。事例ＩＤは、例えば撮影者に撮影を指示する撮影オーダのＩＤである。
【００１２】
患者に応じて予め設定されたポジショニング情報の取得要否を表示部に表示させる表示制御部を備えることが好ましい。
【００１３】
ポジショニング情報は、放射線撮影時に撮影者により携帯され、放射線撮影の撮影条件を設定するための携帯型コンソールに内蔵されたカメラで撮影されたポジショニングの様子を示す画像を含むことが好ましい。
【００１４】
評価情報は、評価者により入力されるポジショニングの評点および批評を含むことが好ましい。
【００１５】
また、本発明の撮影者支援方法は、放射線撮影により得られた放射線画像、放射線撮影の撮影者が放射線撮影の撮影対象の患者に対して行ったポジショニングの様子を示すポジショニング情報、および放射線撮影後に、評価者がポジショニング情報を元にポジショニングを評価した評価情報を受付部で受け付ける受付ステップと、受付ステップで受け付けた放射線画像、ポジショニング情報、および評価情報を、関連付け処理部で関連付けて記憶部に保存する関連付け処理ステップとを備えている。
【００１６】
さらに、本発明の撮影者支援プログラムは、放射線撮影により得られた放射線画像、放射線撮影の撮影者が放射線撮影の撮影対象の患者に対して行ったポジショニングの様子を示すポジショニング情報、および放射線撮影後に、評価者がポジショニング情報を元にポジショニングを評価した評価情報を受け付ける受付機能と、受付機能で受け付けた放射線画像、ポジショニング情報、および評価情報を関連付けて記憶部に保存する関連付け処理機能とを、コンピュータに実行させる。
【発明の効果】
【００１７】
本発明によれば、放射線撮影により得られた放射線画像、放射線撮影の撮影者が放射線撮影の撮影対象の患者に対して行ったポジショニングの様子を示すポジショニング情報、および放射線撮影後に、評価者がポジショニング情報を元にポジショニングを評価した評価情報を受け付けて、これらを関連付けて記憶部に保存するので、放射線撮影の撮影者が、放射線撮影の撮影対象の患者に対して行ったポジショニングの様子とその評価情報を放射線画像と併せて見直して、将来の放射線撮影に役立てることが可能な撮影者支援装置、撮影者支援方法、並びに撮影者支援プログラムを提供することができる。
【図面の簡単な説明】
【００１８】
【図１】医療情報ネットワークシステムを示す図である。
【図２】撮影オーダの内容を示す図である。
【図３】オーダ管理リストを示す図である。
【図４】患者情報の内容を示す図である。
【図５】放射線画像ファイルの内容を示す図である。
【図６】ポジショニング情報の内容を示す図である。
【図７】評価情報の内容を示す図である。
【図８】放射線画像ファイル、ポジショニング情報、および評価情報の関連付けの状態を示す説明図である。
【図９】携帯型コンソールを構成するコンピュータを示すブロック図である。
【図１０】携帯型コンソールのＣＰＵの機能を示すブロック図である。
【図１１】検像端末を構成するコンピュータを示すブロック図である。
【図１２】検像端末のＣＰＵの機能を示すブロック図である。
【図１３】撮影事例管理装置を構成するコンピュータを示すブロック図である。
【図１４】撮影事例管理装置のＣＰＵの機能を示すブロック図である。
【図１５】撮影条件設定ウィンドウを示す図である。
【図１６】撮影事例閲覧ウィンドウを示す図である。
【図１７】携帯型コンソールの作動手順を示すフローチャートである。
【図１８】検像端末の作動手順を示すフローチャートである。
【図１９】撮影事例管理装置の作動手順を示すフローチャートである。
【図２０】撮影事例管理装置の作動手順を示すフローチャートである。
【図２１】ポジショニング情報の取得要否をタッチパネルに表示させる表示制御部を設けた第２実施形態を示すブロック図である。
【図２２】ポジショニング情報の取得要否が否であった場合の撮影条件設定ウィンドウを示す図である。
【図２３】事例ＩＤで放射線画像ファイル、ポジショニング情報、および評価情報を関連付ける第３実施形態を示す図である。
【発明を実施するための形態】
【００１９】
[第１実施形態]
図１において、医療情報ネットワークシステム１０は、病院情報システム（ＨＩＳ；Hospital Information System）１１、放射線情報システム（ＲＩＳ；Radiology Information System）１２、医療画像保管通信システム（ＰＡＣＳ；Picture Archiving and Communication System）１３、放射線撮影システム１４、検像端末１５、撮影事例管理装置１６、およびこれらを相互通信可能に接続するネットワーク１７等で構成される。ネットワーク１７は、例えば、医療施設内に敷設されたＬＡＮ（Local Area Network）や移動体通信ネットワークである。
【００２０】
ＨＩＳ１１は、電子カルテ、会計情報、検査予約情報、投薬処方情報等、医療施設の医療行為に関わる各種情報を、診療科、放射線科等の医療施設の各部門から受け付け、これを保管、管理する。検査予約情報は、診療科の医師（診断医）により診療科の端末１８の電子カルテ上で発行される。検査予約情報は、血液検査、内視鏡検査等の種々の検査予約の他、放射線撮影の検査予約である、放射線撮影を撮影者Ｒ（医師や放射線技師等）に指示するための撮影オーダ２０を含む。
【００２１】
ＨＩＳ１１には、患者情報２１が記憶されている。患者情報２１は電子カルテに登録されている。ＲＩＳ１２は、診療科の端末１８からの撮影オーダ２０を受け付けてこれを保管、管理する。ＲＩＳ１２は、撮影オーダ２０を携帯型コンソール３２に送信する。
【００２２】
放射線撮影システム１４は、周知のように、撮影対象の患者Ｐに向けて放射線（例えばＸ線）を照射する放射線源３０と、放射線源３０から発せられて患者Ｐを透過した放射線を受けて放射線画像６３（図５参照）を検出する放射線画像検出装置３１と、放射線画像検出装置３１の駆動を制御する携帯型コンソール３２とを備える。
【００２３】
携帯型コンソール３２は、例えば、携帯電話、スマートフォン、タブレット端末、ＰＤＡ（Personal Digital Assistant）、ノート型パソコン等の持ち運び可能な端末である。携帯型コンソール３２は、放射線撮影時に撮影者Ｒにより携帯される。より詳しくは、撮影者Ｒは、携帯型コンソール３２を手に持ちながら放射線撮影の作業を行う。
【００２４】
携帯型コンソール３２はタッチパネル３３を備えている。タッチパネル３３は、撮影者Ｒの指の動きによる操作指示の入力を受け付ける。タッチパネル３３は、操作指示に応じた各種操作画面を表示する。操作画面にはＧＵＩ(Graphical User Interface)が配され、タッチパネル３３はこのＧＵＩを通じて操作指示の入力を受け付ける。
【００２５】
携帯型コンソール３２には、カメラ３４およびマイク３５が内蔵されている。カメラ３４のレンズは、例えばタッチパネル３３とは反対側の面に配されている。カメラ３４は動画像の撮影が可能である。マイク３５は、カメラ３４による動画像の撮影の際に周囲の音声を収録する。カメラ３４およびマイク３５は、撮影者Ｒが患者Ｐをどのように位置決めしたか、患者Ｐにどのような指示を出したか等のポジショニングの様子を、撮影者Ｒが撮影する際に起動される。
【００２６】
タッチパネル３３は、ＲＩＳ１２からの撮影オーダ２０を表示する他、放射線画像検出装置３１からの放射線画像６３を表示する。また、タッチパネル３３は、撮影オーダ２０に応じた撮影条件６２（図５参照）を設定するための撮影条件設定ウィンドウ１０５（図１５参照）等の各種操作画面を表示する。タッチパネル３３への操作指示には、撮影条件６２を設定する指示や、カメラ３４およびマイク３５を起動させてポジショニングの様子を動画撮影する指示等がある。
【００２７】
携帯型コンソール３２は、放射線画像６３とこれを撮影したときの撮影条件６２およびその他の情報を関連付けた放射線画像ファイル４０を作成する。また、携帯型コンソール３２は、ポジショニングの様子を示すポジショニング情報４１を作成する。携帯型コンソール３２は、作成した放射線画像ファイル４０とポジショニング情報４１を関連付けて、これらを検像端末１５に送信する。
【００２８】
検像端末１５は、検像者Ｃによって操作される。検像者Ｃは、放射線画像６３を診断に供する前に、放射線画像６３が診断に利用可能か否かを判断する検像工程を担う。検像端末１５は、ディスプレイ４５と入力デバイス４６を有する。ディスプレイ４５は、マウスやキーボード等の入力デバイス４６の操作に応じた各種操作画面を表示する。操作画面にはＧＵＩが配され、検像端末１５はこのＧＵＩを通じて入力デバイス４６からの操作指示の入力を受け付ける。
【００２９】
ディスプレイ４５は、携帯型コンソール３２からの放射線画像６３、およびポジショニング情報４１の動画像ファイル６５（図６参照）等を表示する。検像端末１５は、ディスプレイ４５に表示された放射線画像６３の検像者Ｃによる検像結果の入力を、入力デバイス４６を介して受け付ける。また、検像端末１５は、ディスプレイ４５に表示された動画像ファイル６５を元に検像者Ｃがポジショニングを評価した評価結果６６（図７参照）の入力を、入力デバイス４６を介して受け付ける。
【００３０】
検像者Ｃが入力する検像結果には、放射線画像６３が診断に利用可能と判断した場合の「ＯＫ」、放射線画像６３が診断に不向きと判断した場合の「ＮＧ」の２種類がある。検像結果として「ＯＫ」が入力されたときが、当該撮影オーダ２０に対する放射線撮影が終了した合図となる。一方で「ＮＧ」が入力された場合は、撮影者Ｒにより再撮影が行われる。再撮影は検像結果が「ＯＫ」となるまで繰り返される。
【００３１】
検像端末１５は、検像結果が「ＯＫ」と入力された放射線画像ファイル４０（以下、診断用画像ファイル４０Ｓと表記する）をＰＡＣＳ１３に送信する。また、検像端末１５は、検像者Ｃが入力した評価結果６６を含む評価情報４２を作成し、作成した評価情報４２と、携帯型コンソール３２からの放射線画像ファイル４０、ポジショニング情報４１とを関連付けて、これらを撮影事例管理装置１６に送信する。ポジショニング情報４１、評価情報４２と関連付けられて撮影事例管理装置１６に送信される放射線画像ファイル４０は、検像結果に関わらず全ての放射線画像ファイル４０が対象となる。以下では、検像端末１５で関連付けられた放射線画像ファイル４０、ポジショニング情報４１、および評価情報４２の一まとめの情報の組を撮影事例５０と呼ぶ。
【００３２】
ＰＡＣＳ１３は、検像端末１５からの診断用画像ファイル４０Ｓを保管、管理する。撮影事例管理装置１６は、検像端末１５からの撮影事例５０を保管、管理する。
【００３３】
図２において、撮影オーダ２０は、オーダＩＤ（IDentification）５１、医師ＩＤ、患者ＩＤ、および撮影部位／姿勢／向きの項目を有する。オーダＩＤ５１は、個々の撮影オーダ２０を識別するための番号である。オーダＩＤ５１は、診療科の端末１８から撮影オーダ２０を受け付けたときにＲＩＳ１２により自動的に付される。医師ＩＤは、撮影オーダ２０を発行した診療科の医師を識別するための番号である。患者ＩＤは、患者の初診の際にＨＩＳ１１により自動的に付される。撮影オーダ２０に記される患者ＩＤは、当該撮影オーダ２０による放射線撮影の撮影対象の患者Ｐの患者ＩＤである。
【００３４】
撮影部位／姿勢／向きは、診療科の医師によって指示された、放射線撮影で撮影する患者Ｐの部位、姿勢、および放射線源３０に対する向きである。撮影部位には、頭部、頸椎、胸部、腹部、手、指、肘、膝といった人体の各部位がある。また姿勢には立位、臥位、座位等、向きには正面、側面、背面等がある。撮影オーダ２０には、これらの項目の他に、ＲＩＳ１２で撮影オーダ２０を受け付けた日時や、術後の経過観察等の放射線撮影の目的、診療科の医師から撮影者Ｒへの申し渡し事項等の項目が設けられている。
【００３５】
ＲＩＳ１２は、図３に示すオーダ管理リスト５５を作成して、受け付けた撮影オーダ２０を管理する。オーダ管理リスト５５は、撮影オーダ２０の各項目に加えて、放射線撮影を担当する撮影者Ｒの撮影者ＩＤ、進行状況等の項目を有する。撮影者ＩＤは、個々の撮影者Ｒを識別するための番号である。進行状況には、当該撮影オーダ２０の放射線撮影が終了したことを示す撮影済み、放射線撮影を行っている最中であることを示す撮影中、放射線撮影を行っていないことを示す未撮影のいずれかが記される。ＲＩＳ１２は、検像端末１５からの放射線撮影終了の合図等に応じて、進行状況の項目を更新する。
【００３６】
なお、撮影オーダ２０は、図示するように１人の患者に対して１つの場合もあれば、１人の患者に対して同時に複数発行される場合もある。１人の患者に対して同時に複数撮影オーダ２０が発行された場合は、ＲＩＳ１２は、オーダＩＤ５１の後に識別符号を付ける等して複数の撮影オーダ２０を関連付ける。
【００３７】
図４において、患者情報２１は、患者ＩＤ、患者氏名、性別、生年月日、年齢、身長（単位ｃｍ）、体重（単位ｋｇ）等の項目を有する。年齢は生年月日から自動的に計算される。なお、患者情報２１として、上記の他に患者の住所や電話番号、身長、体重から計算したＢＭＩ（Body Mass Index）指数等の体格指数を追加してもよい。
【００３８】
図５において、放射線画像ファイル４０は、例えばＤＩＣＯＭ（Digital Imaging and Communication in Medicine）規格に準拠したファイル形式であり、タグ記憶領域６０と放射線画像記憶領域６１とを有する。タグ記憶領域６０には、前述の患者情報２１、オーダＩＤ５１、撮影部位／姿勢／向き、撮影者ＩＤ、および管電圧（単位ｋＶ）、管電流（単位ｍＡ）、放射線の照射時間（単位ｍｓｅｃ）で構成される撮影条件６２の各項目が設けられている。
【００３９】
また、タグ記憶領域６０には、ファイルＩＤ、撮影日時の項目が設けられている。ファイルＩＤは、個々の放射線画像ファイル４０を識別するための番号であり、放射線画像ファイル４０の作成時に携帯型コンソール３２により自動的に付される。放射線画像記憶領域６１には、放射線画像６３が記憶される。
【００４０】
図６において、ポジショニング情報４１は、ポジショニング情報ＩＤ、撮影者ＩＤ、オーダＩＤ５１等の各項目を有する。また、ポジショニング情報４１は、カメラ３４で撮影された動画像およびマイク３５で収録された音声で構成される動画像ファイル６５を含む。ポジショニング情報ＩＤは、個々のポジショニング情報４１を識別するための番号であり、例えば動画像ファイル６５の作成時に携帯型コンソール３２により自動的に付される動画像ファイル６５のファイル名である。撮影者ＩＤは、当該撮影オーダ２０の放射線撮影を担当し、携帯型コンソール３２でポジショニングの様子を撮影した撮影者ＲのＩＤである。なお、ポジショニング情報４１として、上記の他に患者ＩＤや撮影者Ｒのポジショニングに関するコメント等を追加してもよい。
【００４１】
図７において、評価情報４２は、評価情報ＩＤ、検像者ＩＤ、オーダＩＤ５１等の各項目を有する。また、評価情報４２は、検像者Ｃにより入力される評価結果６６である評点６７、および批評６８を含む。評価情報ＩＤは、個々の評価情報４２を識別するための番号であり、評価情報４２の作成時に検像端末１５により自動的に付される。検像者ＩＤは、当該放射線画像６３の検像工程を担当し、検像結果および評価結果６６を入力した検像者ＣのＩＤである。評点６７は、例えば５段階評価で「５」が最も評価が高く、「１」が最も評価が低い。批評６８は、検像者Ｃから撮影者Ｒへのポジショニングに対するアドバイス等のコメントである。
【００４２】
図５〜図７で説明した通り、放射線画像ファイル４０、ポジショニング情報４１、および評価情報４２には、共通のオーダＩＤ５１が付される。すなわち、図８に示すように、これら放射線画像ファイル４０、ポジショニング情報４１、および評価情報４２は、オーダＩＤ５１で関連付けられている。
【００４３】
図９において、携帯型コンソール３２を構成するコンピュータは、前述のタッチパネル３３、カメラ３４、マイク３５の他、ストレージデバイス７０、メモリ７１、ＣＰＵ（Central Processing Unit）７２、および通信部７３を備えている。これらはデータバス７４を介して相互接続されている。
【００４４】
ストレージデバイス７０は、例えば、携帯型コンソール３２を構成するコンピュータに内蔵されたハードディスクドライブである。ストレージデバイス７０には、オペレーティングシステム等の制御プログラムや、第１撮影者支援プログラム７５を含む各種アプリケーションプログラムが記憶されている。第１撮影者支援プログラム７５は、携帯型コンソール３２を構成するコンピュータを、撮影者支援装置として機能させるためのプログラムである。
【００４５】
メモリ７１は、ＣＰＵ７２が処理を実行するためのワークメモリである。ＣＰＵ７２は、ストレージデバイス７０に記憶されたプログラムをメモリ７１へロードして、プログラムにしたがった処理を実行することにより、コンピュータの各部を統括的に制御する。
【００４６】
通信部７３は、ネットワーク１７を介した、外部装置との各種情報の伝送を行うネットワークインターフェースである。通信部７３は、ＲＩＳ１２から撮影オーダ２０を、ＨＩＳ１１から患者情報２１を、放射線画像検出装置３１から放射線画像６３をそれぞれ受信し、かつ放射線画像ファイル４０およびポジショニング情報４１を検像端末１５に送信する。
【００４７】
図１０において、ＣＰＵ７２は、第１撮影者支援プログラム７５を起動すると、メモリ７１と協働して、第１受付部７６および第１関連付け処理部７７として機能する。
【００４８】
第１受付部７６は、通信部７３で受信したＲＩＳ１２からの撮影オーダ２０、ＨＩＳ１１からの患者情報２１、放射線画像検出装置３１からの放射線画像６３、およびタッチパネル３３を介して撮影者Ｒにより入力された撮影条件６２を受け付ける。また、第１受付部７６は、カメラ３４およびマイク３５で取得された動画像ファイル６５を受け付ける。第１受付部７６は、これら撮影オーダ２０、患者情報２１、放射線画像６３、撮影条件６２、および動画像ファイル６５を第１関連付け処理部７７に受け渡す。
【００４９】
第１関連付け処理部７７は、第１受付部７６からの撮影オーダ２０のうちのオーダＩＤ５１、撮影部位／姿勢／向き、撮影者ＩＤ、患者情報２１、放射線画像６３、および撮影条件６２に基づき、放射線画像ファイル４０を作成する。また、第１関連付け処理部７７は、第１受付部７６からの撮影オーダ２０のうちのオーダＩＤ５１、撮影者ＩＤ、並びに動画像ファイル６５に基づき、ポジショニング情報４１を作成する。第１関連付け処理部７７は、作成した放射線画像ファイル４０およびポジショニング情報４１とこれらの保存要求を、通信部７３を介して検像端末１５に送信させる。
【００５０】
第１関連付け処理部７７は、放射線画像ファイル４０とポジショニング情報４１をオーダＩＤ５１により関連付ける。より具体的には、第１関連付け処理部７７は、ポジショニング情報４１に、放射線画像ファイル４０と同じオーダＩＤ５１を付す。
【００５１】
図１１において、検像端末１５を構成するコンピュータは、タッチパネル３３の代わりにディスプレイ４５および入力デバイス４６が設けられ、カメラ３４、マイク３５が設けられていない以外は、図９の携帯型コンソール３２と同じ構成を有し、ストレージデバイス８０、メモリ８１、ＣＰＵ８２、通信部８３、およびこれらを相互接続するデータバス８４を備えている。
【００５２】
ストレージデバイス８０には、検像端末１５を構成するコンピュータを、撮影者支援装置として機能させるための第２撮影者支援プログラム８５が記憶されている。
【００５３】
通信部８３は、携帯型コンソール３２から放射線画像ファイル４０およびポジショニング情報４１とこれらの保存要求を受信し、かつＰＡＣＳ１３に診断用画像ファイル４０Ｓを、撮影事例管理装置１６に撮影事例５０をそれぞれ送信する。
【００５４】
図１２において、ＣＰＵ８２は、第２撮影者支援プログラム８５を起動すると、メモリ７１と協働して、第２受付部８６および第２関連付け処理部８７として機能する。
【００５５】
第２受付部８６は、通信部８３で受信した放射線画像ファイル４０およびポジショニング情報４１、並びに入力デバイス４６を介して検像者Ｃにより入力された評価結果６６を受け付ける。第２受付部８６は、これら放射線画像ファイル４０、ポジショニング情報４１、および評価結果６６を第２関連付け処理部８７に受け渡す。
【００５６】
第２関連付け処理部８７は、第２受付部８６からの撮影オーダ２０のうちのオーダＩＤ５１、および評価結果６６等に基づき、評価情報４２を作成する。第２関連付け処理部８７は、放射線画像ファイル４０、ポジショニング情報４１、および作成した評価情報４２とこれらの保存要求を、通信部８３を介して撮影事例管理装置１６に送信させる。
【００５７】
第２関連付け処理部８７は、放射線画像ファイル４０、ポジショニング情報４１、および評価情報４２をオーダＩＤ５１により関連付ける。より具体的には、第２関連付け処理部８７は、評価情報４２に、放射線画像ファイル４０およびポジショニング情報４１と同じオーダＩＤ５１を付す。
【００５８】
図１３において、撮影事例管理装置１６を構成するコンピュータは、タッチパネル３３やカメラ３４、マイク３５、ディスプレイ４５、入力デバイス４６が設けられていない以外は、図９の携帯型コンソール３２、図１１の検像端末１５と同じ構成を有し、ストレージデバイス９０、メモリ９１、ＣＰＵ９２、通信部９３、およびこれらを相互接続するデータバス９４を備えている。
【００５９】
ストレージデバイス９０には、撮影事例管理装置１６を構成するコンピュータを、撮影者支援装置として機能させるための第３撮影者支援プログラム９５が記憶されている。すなわち、本実施形態では、この撮影事例管理装置１６と検像端末１５と携帯型コンソール３２とが撮影者支援装置を構成する。
【００６０】
通信部９３は、検像端末１５から撮影事例５０とその保存要求を受信し、かつ携帯型コンソール３２に撮影事例５０を送信する。
【００６１】
図１４において、ＣＰＵ９２は、第３撮影者支援プログラム９５を起動すると、メモリ９１と協働して、通信制御部９６、作成部９７、および検索部９８として機能する。
【００６２】
通信制御部９６は、通信部９３を介した各種情報の伝送を制御する。作成部９７は、各種情報を検索キーにより検索可能な各種データベース（ＤＢ；Data Base）をストレージデバイス９０に作成する。検索部９８は、携帯型コンソール３２等の外部装置からの送信要求に対応する情報をＤＢから検索する。通信制御部９６は、検索部９８で検索した情報を、通信部９３を介して外部装置に送信させる。
【００６３】
通信制御部９６は、通信部９３を介して受信した検像端末１５からの撮影事例５０とその保存要求を受け付ける。通信制御部９６は、受け付けた撮影事例５０を作成部９７に受け渡す。
【００６４】
作成部９７は、通信制御部９６からの撮影事例５０のうちの放射線画像ファイル４０を検索可能な画像ＤＢ１００、ポジショニング情報４１を検索可能なポジショニング情報ＤＢ（ＰＩＤＢ）１０１、および評価情報４２を検索可能な評価情報ＤＢ（ＶＩＤＢ）１０２をそれぞれストレージデバイス９０に作成する。作成部９７は、放射線画像ファイル４０を画像ＤＢ１００に、ポジショニング情報４１をＰＩＤＢ１０１に、評価情報４２をＶＩＤＢ１０２にそれぞれ格納する。
【００６５】
通信制御部９６は、通信部９３を介して受信した送信要求１０３を受け付け、これを検索部９８に受け渡す。送信要求１０３は、携帯型コンソール３２からの撮影事例５０の送信要求である。検索部９８は、送信要求１０３に対応する撮影事例５０を構成する放射線画像ファイル４０、ポジショニング情報４１、および評価情報４２を各ＤＢ１００〜１０２からそれぞれ検索する。検索部９８は、検索した放射線画像ファイル４０、ポジショニング情報４１、および評価情報４２を撮影事例５０として通信制御部９６に引き渡す。通信制御部９６は、検索部９８からの撮影事例５０を、送信要求１０３を送信した携帯型コンソール３２に通信部９３を介して送信させる。
【００６６】
送信要求１０３に含まれる検索キーとしては、例えば放射線画像ファイル４０、ポジショニング情報４１、および評価情報４２を関連付けているオーダＩＤ５１そのもの、あるいは、撮影日時、患者ＩＤ、撮影者ＩＤ、評点６７等、放射線画像ファイル４０のタグ記憶領域６０やポジショニング情報４１、評価情報４２に記憶された任意の項目を指定することが可能である。また、例えば撮影日時が１週間前の全ての撮影事例５０を指定する等、検索範囲を指定することも可能であり、撮影者ＩＤがＲ０００１で、かつ評価情報４２の評点６７が「１」の撮影事例５０等、複数の項目を用いていわゆるアンド検索やオア検索をすることも可能である。
【００６７】
なお、図示は省略するが、ＰＡＣＳ１３を構成するコンピュータも図１３に示す撮影事例管理装置１６と同じ構成であり、ＰＡＣＳ１３を構成するコンピュータのＣＰＵも、図１４に示す撮影事例管理装置１６のＣＰＵ９２と同じ機能部を有する。ただし、ＰＡＣＳ１３で扱う情報は診断用画像ファイル４０Ｓのみである点が異なる。ＰＡＣＳ１３の作成部は、撮影事例管理装置１６の各ＤＢ１００〜１０２に代えて、診断用画像ファイル４０Ｓを検索キーにより検索可能な画像ＤＢをストレージデバイスに作成する。ＰＡＣＳ１３の検索部は、診療科の端末１８や、放射線画像６３の読影を担う読影医がいる読影科の端末からの診断用画像ファイル４０Ｓの送信要求に応じて、画像ＤＢから診断用画像ファイル４０Ｓを検索する。ＰＡＣＳ１３の通信制御部は、検像端末１５からの診断用画像ファイル４０Ｓとその保存要求、および診療科の端末１８または読影科の端末からの診断用画像ファイル４０Ｓの送信要求を受け付け、検索部で検索した診断用画像ファイル４０Ｓを、送信要求を送信した診療科の端末１８または読影科の端末に通信部を介して送信させる。
【００６８】
携帯型コンソール３２の電源を立ち上げると、まず、携帯型コンソール３２にインストールされたオペレーティングシステムのホーム画面がタッチパネル３３に表示される。ホーム画面にて第１撮影者支援プログラム７５が起動されると、携帯型コンソール３２は、撮影者Ｒに認証番号を入力させるためのログイン画面をタッチパネル３３に表示させる。撮影者Ｒにより認証番号が入力されて照合がとれると、携帯型コンソール３２は、図１５に示す撮影条件設定ウィンドウ１０５をタッチパネル３３に表示させる。
【００６９】
撮影条件設定ウィンドウ１０５は、撮影オーダ２０に応じた撮影条件６２を設定するための操作画面である。撮影条件設定ウィンドウ１０５には、三次元人体図１０６が表示される人体図表示枠１０７、基本情報表示枠１０８、設定開始ボタン１０９ａ、設定終了ボタン１０９ｂ、撮影部位／姿勢／向き表示枠１１０、および動画撮影開始ボタン１１１ａ、動画撮影停止ボタン１１１ｂ等が表示される。
【００７０】
三次元人体図１０６は、撮影部位／姿勢／向きを指定するためのＧＵＩである。三次元人体図１０６は、放射線源３０の位置がタッチパネル３３の上方にあると見立てた場合に、放射線源３０の側から見た人体の姿勢および向きを示している。撮影条件設定ウィンドウ１０５の初期表示では、三次元人体図１０６は、図示のように立位正面の成人男性の全体像を表したものである。
【００７１】
三次元人体図１０６には、頭部、頸椎、胸部、腹部、手、指、肘、膝等の各撮影部位を指定するための複数の指定領域が、互いに重ならないよう設定されている。各指定領域を選択することで、撮影部位の指定が可能である。三次元人体図１０６は、拡大、縮小、回転、関節の曲げ伸ばし（姿勢変更）等の各種変形が可能である。三次元人体図１０６を所望の姿勢や向きに変形することで、姿勢、向きの指定が可能である。
【００７２】
基本情報表示枠１０８には、撮影対象の患者Ｐの患者ＩＤと撮影者Ｒの氏名（技師名）が入力、表示される。設定開始、終了ボタン１０９ａ、１０９ｂは、撮影条件設定ウィンドウ１０５による撮影条件の設定を開始、または終了する際に選択される。撮影部位／姿勢／向き表示枠１１０には、三次元人体図１０６を用いて指定された撮影部位／姿勢／向きが表示される。
【００７３】
動画撮影開始ボタン１１１ａは、ポジショニングの様子の動画撮影を開始する際に選択される。一方、動画撮影停止ボタン１１１ｂは、ポジショニングの様子の動画撮影を停止する際に選択される。
【００７４】
また、携帯型コンソール３２は、撮影事例管理装置１６から受信した撮影事例５０に基づき、図１６に示す撮影事例閲覧ウィンドウ１２０をタッチパネル３３に表示させる。撮影事例閲覧ウィンドウ１２０は、放射線画像６３、ポジショニング情報４１、および評価情報４２を撮影者Ｒが閲覧可能に表示するもので、放射線画像６３、ポジショニング情報４１、および評価情報４２をそれぞれ表示する表示枠１２１、１２２、１２３を有する。
【００７５】
表示枠１２１の上方には、ファイルＩＤを表示する表示枠１２４、撮影日時を表示する表示枠１２５が設けられ、下方には、撮影条件６２を表示する表示枠１２６が設けられている。表示枠１２２には、ポジショニング情報４１の動画像ファイル６５を再生するための動画再生プレイヤー１２７が埋め込まれている。表示枠１２３は、評点６７を表示する表示枠１２８と、批評６８を表示する表示枠１２９とに分かれている。
【００７６】
撮影事例閲覧ウィンドウ１２０には、上記表示枠の他に、オーダＩＤ５１、撮影部位／姿勢／向き、および撮影者ＩＤを表示する表示枠１３０、並びに患者情報２１を表示する表示枠１３１が設けられている。なお、表示枠１３１は、患者情報２１が第三者に盗み見られて漏洩することを防ぐため、非表示としてもよい。
【００７７】
以下、上記構成による作用について、図１７ないし図２０のフローチャートを参照して説明する。まず、診療科の医師により、診療科の端末１８からＲＩＳ１２に撮影オーダ２０が発行される。撮影オーダ２０は、ＲＩＳ１２から携帯型コンソール３２に送信され、携帯型コンソール３２のタッチパネル３３に表示される。
【００７８】
撮影者Ｒは、ＲＩＳ１２からの撮影オーダ２０の内容をタッチパネル３３で確認し、第１撮影者支援プログラム７５を起動する。これにより、タッチパネル３３に撮影条件設定ウィンドウ１０５が表示される。撮影者Ｒは、設定開始ボタン１０９ａを選択して、撮影条件の設定を開始する。
【００７９】
撮影者Ｒは、撮影オーダ２０で指定された撮影部位に対応する三次元人体図１０６の指定領域を選択する。また、撮影オーダ２０で指定された姿勢／向きとなるよう、三次元人体図１０６を変形する。指定領域の選択により撮影部位が指定され、三次元人体図１０６の変形により姿勢／向きが指定される。これらの指示は設定終了ボタン１０９ｂが選択されたときに確定される。
【００８０】
携帯型コンソール３２には、撮影部位／姿勢／向きに対応する撮影条件６２が、例えばデータテーブル形式で予め記憶されている。三次元人体図１０６を用いて撮影部位／姿勢／向きが指定され、設定終了ボタン１０９ｂが選択されると、携帯型コンソール３２は、指定された撮影部位／姿勢／向きに対応する撮影条件６２をデータテーブルから読み出し、放射線画像検出装置３１に送信する。こうして撮影条件６２が設定される。
【００８１】
撮影者Ｒは、撮影条件設定ウィンドウ１０５の動画撮影開始ボタン１１１ａを選択する。動画撮影開始ボタン１１１ａが選択されると、携帯型コンソール３２は、カメラ３４およびマイク３５を起動させて動画撮影を開始する。撮影者Ｒは、携帯型コンソール３２で動画撮影を行いつつ、放射線源３０と放射線画像検出装置３１の間の所望の位置に患者Ｐを整置するポジショニングを行う。ポジショニングの終了後、撮影者Ｒは動画撮影停止ボタン１１１ｂを選択する。動画撮影停止ボタン１１１ｂが選択されると、携帯型コンソール３２は、カメラ３４およびマイク３５の作動を停止させて動画撮影を停止する。
【００８２】
その後、撮影者Ｒは、放射線源３０を駆動させて患者Ｐに向けて放射線を照射させる。患者Ｐを透過した放射線は放射線画像検出装置３１に照射され、これにより放射線画像検出装置３１で放射線画像６３が検出される。放射線画像６３は、放射線画像検出装置３１から携帯型コンソール３２に送信される。
【００８３】
図１７のステップＳ１０に示すように、携帯型コンソール３２では、通信部７３で受信したＲＩＳ１２からの撮影オーダ２０、ＨＩＳ１１からの患者情報２１、放射線画像検出装置３１からの放射線画像６３、三次元人体図１０６を介して撮影者Ｒにより設定された撮影条件６２、およびカメラ３４およびマイク３５で取得した動画像ファイル６５が第１受付部７６に受け付けられる。第１受付部７６で受け付けられたこれらの情報は、第１関連付け処理部７７に受け渡される。なお、患者情報２１は、通信部７３を介して、第１受付部７６で受け付けた撮影オーダ２０の患者ＩＤを検索キーにした、当該患者ＩＤの患者情報２１の送信要求をＨＩＳ１１に送信し、送信要求に対応する患者情報２１をＨＩＳ１１に送信してもらうことで取得する。
【００８４】
ステップＳ１１において、第１関連付け処理部７７では、第１受付部７６から受け渡された情報に基づき、放射線画像ファイル４０およびポジショニング情報４１が作成される。第１関連付け処理部７７により、放射線画像ファイル４０およびポジショニング情報４１には、同じオーダＩＤ５１が付される。こうすることで、放射線画像ファイル４０およびポジショニング情報４１がオーダＩＤ５１によって関連付けられる。
【００８５】
ステップＳ１２において、第１関連付け処理部７７で作成された放射線画像ファイル４０およびポジショニング情報４１が、保存要求とともに通信部７３を介して検像端末１５に送信される。
【００８６】
検像端末１５では、携帯型コンソール３２からの放射線画像ファイル４０の放射線画像６３、およびポジショニング情報４１の動画像ファイル６５がディスプレイ４５に表示されて検像者Ｃによる検像に供される。検像者Ｃは、放射線画像６３の検像結果、および動画像ファイル６５を元にしたポジショニングの評価結果６６を、入力デバイス４６を介して入力する。
【００８７】
図１８のステップＳ２０に示すように、検像端末１５では、通信部８３で受信した携帯型コンソール３２からの放射線画像ファイル４０およびポジショニング情報４１、並びに入力デバイス４６を介して検像者Ｃにより入力された評価結果６６が第２受付部８６に受け付けられる。第２受付部８６で受け付けられたこれらの情報は、第２関連付け処理部８７に受け渡される。
【００８８】
ステップＳ２１において、第２関連付け処理部８７では、第２受付部８６から受け渡された評価結果６６に基づき、評価情報４２が作成される。第２関連付け処理部８７により、評価情報４２には、放射線画像ファイル４０およびポジショニング情報４１と同じオーダＩＤ５１が付される。こうすることで、放射線画像ファイル４０、ポジショニング情報４１、および評価情報４２がオーダＩＤ５１によって関連付けられる。
【００８９】
ステップＳ２２において、第２関連付け処理部８７で作成された評価情報４２、およびこれと関連付けられた放射線画像ファイル４０、ポジショニング情報４１で構成される撮影事例５０が、保存要求とともに通信部８３を介して撮影事例管理装置１６に送信される。
【００９０】
なお、検像結果として「ＯＫ」が入力された場合は、放射線画像ファイル４０が保存要求とともに診断用画像ファイル４０Ｓとして通信部８３を介してＰＡＣＳ１３に送信される。ＰＡＣＳ１３では、診断用画像ファイル４０Ｓが画像ＤＢに格納される。
【００９１】
撮影事例管理装置１６では、通信部９３によって検像端末１５からの撮影事例５０が受信される。図１９のステップＳ３０に示すように、通信部９３で受信された撮影事例５０は、通信制御部９６で受け付けられる。通信制御部９６で受け付けられた撮影事例５０は、作成部９７に受け渡される。
【００９２】
ステップＳ３１に示すように、作成部９７によって、通信制御部９６からの撮影事例５０のうちの放射線画像ファイル４０が画像ＤＢ１００に、ポジショニング情報４１がＰＩＤＢ１０１に、評価情報４２がＶＩＤＢ１０２にそれぞれ格納される。
【００９３】
撮影者Ｒは、携帯型コンソール３２を操作して撮影事例管理装置１６に撮影事例５０の送信要求１０３を送信する。図２０のステップＳ４０に示すように、携帯型コンソール３２からの送信要求１０３は、通信部９３で受信され、通信制御部９６で受け付けられる。通信制御部９６で受け付けられた送信要求１０３は、検索部９８に受け渡される。
【００９４】
ステップＳ４１に示すように、検索部９８により、送信要求１０３に対応する撮影事例５０を構成する放射線画像ファイル４０、ポジショニング情報４１、および評価情報４２が各ＤＢ１００〜１０２から検索される。放射線画像ファイル４０、ポジショニング情報４１、および評価情報４２がオーダＩＤ５１により関連付けられており、また、これらを検索可能に格納する各ＤＢ１００〜１０２を作成するので、送信要求１０３に対応する撮影事例５０を容易に検索することができる。
【００９５】
検索部９８で検索された撮影事例５０は、通信制御部９６に引き渡され、ステップＳ４２に示すように、通信制御部９６により、送信要求１０３を送信した携帯型コンソール３２に通信部９３を介して送信される。
【００９６】
携帯型コンソール３２では、撮影事例管理装置１６からの撮影事例５０に基づいた撮影事例閲覧ウィンドウ１２０がタッチパネル３３に表示される。撮影者Ｒは、この撮影事例閲覧ウィンドウ１２０を閲覧し、自らのポジショニングの改善点を探る学習をする。
【００９７】
放射線画像ファイル４０、ポジショニング情報４１、および評価情報４２を関連付けることで、これらを簡単に参照することができる。したがって、ポジショニングの改善点を探る学習が捗り、撮影者Ｒの撮影技術レベルの向上に貢献することができる。撮影者Ｒの撮影技術レベルが向上すれば、ポジショニングに手間取ることがなくなる。したがって、放射線撮影の効率化にも貢献することができる。
【００９８】
携帯型コンソール３２からの送信要求１０３に対応する撮影事例５０を即座に検索して送信するので、撮影者Ｒは、自分が気になった撮影事例５０を、日時場所を選ばず繰り返し参照することができる。このため放射線撮影の合間や通勤時間帯等の空き時間を学習にあてることができる。また、ポジショニングを行う際に、撮影対象の患者Ｐの過去の撮影事例５０や患者Ｐに似た患者の撮影事例５０を参照する等、撮影事例５０をポジショニングの際の手助けとすることもできる。
【００９９】
診療科の端末１８または読影科の端末からＰＡＣＳ１３に診断用画像ファイル４０Ｓの送信要求があった場合は、対応する診断用画像ファイル４０ＳがＰＡＣＳ１３の検索部により画像ＤＢから検索され、検索された診断用画像ファイル４０Ｓが、診療科の端末１８または読影科の端末に通信部を介して送信される。読影科の端末に送信された診断用画像ファイル４０Ｓの放射線画像６３は、診断用画像として読影医の読影に供される。また、診療科の端末１８に送信された診断用画像ファイル４０Ｓの放射線画像は、読影医が作成したレポートとともに診断用画像として診療科の医師の診断に供される。
【０１００】
［第２実施形態］
ポジショニングは、患者Ｐが骨折等の怪我で四肢を伸ばせない、または逆に関節を曲げられない、あるいは寝たきりで立位姿勢をとれない等、患者Ｐに特殊な事情があり、通常のポジショニングから逸脱したポジショニングで放射線撮影を行わざるを得ない状態である場合に特に苦労する。このため、患者Ｐが通常のポジショニングをとれない場合のみ、ポジショニング情報４１を取得し、放射線画像ファイル４０、評価情報４２と関連付けて保存することが好ましい。
【０１０１】
そこで、本実施形態では、図２１に示すように、携帯型コンソール３２のＣＰＵ７２に、ポジショニング情報４１の取得要否をタッチパネル３３に表示させる表示制御部１３５を設ける。この場合、ポジショニング情報４１の取得要否１３６を、例えば患者Ｐの状態に応じて診療科の医師等が患者情報２１に予め設定しておく。表示制御部１３５は、患者情報２１を受け付けた第１受付部７６から取得要否１３６を受け取る。
【０１０２】
取得要否１３６が否であった場合、表示制御部１３５は、図２２に示す撮影条件設定ウィンドウ１４０をタッチパネル３３に表示させる。撮影条件設定ウィンドウ１４０には、図１５に示す撮影条件設定ウィンドウ１０５のように動画撮影開始ボタン１１１ａおよび動画撮影停止ボタン１１１ｂが表示されておらず、ポジショニングの様子を示す動画像の撮影が行えない仕様となっている。このため動画像ファイル６５は作成されず、したがって放射線画像ファイル４０、ポジショニング情報４１の関連付け、ひいてはこれらと評価情報４２の関連付けも行われない。
【０１０３】
一方、取得要否１３６が要であった場合は、表示制御部１３５は、図１５に示す撮影条件設定ウィンドウ１０５をタッチパネル３３に表示させる。撮影者Ｒは、動画撮影開始ボタン１１１ａおよび動画撮影停止ボタン１１１ｂが表示されていることで、取得要否１３６が要であることを認識し、動画撮影開始ボタン１１１ａを選択してポジショニングの様子の動画撮影を開始する。すなわち、タッチパネル３３は、取得要否１３６を表示する表示部として機能する。
【０１０４】
動画撮影開始ボタン１１１ａおよび動画撮影停止ボタン１１１ｂの表示、非表示によって取得要否３６を表示することに加えて、あるいは代えて、ポジショニング情報４１の取得を促すメッセージやポジショニング情報４１を取得しなくてもよい旨のメッセージをタッチパネル３３に表示させてもよい。また、携帯型コンソール３２にスピーカーがある場合は、スピーカーを表示部として機能させ、スピーカーからポジショニング情報４１の取得を促す警告音等を発してもよい。
【０１０５】
このように取得要否１３６を表示すれば、取得要否１３６が要であった場合、ポジショニングに特に気を付けなければならないことを撮影者Ｒに認識させることができる。また、患者Ｐがポジショニングに苦労する状態のときだけポジショニング情報４１を取得するようになるので、ポジショニングの様子を動画撮影する撮影者Ｒに掛かる負担を減らすことができる。さらに、自然とポジショニングの難易度が高いポジショニング情報４１が保存されることになるため、撮影事例５０をより学習に役立つ有意義な情報とすることができる。
【０１０６】
なお、ポジショニング情報４１の取得自体は患者Ｐの状態に関わらず毎回の放射線撮影で実行する態様とし、取得要否１３６が否であった場合に、放射線画像ファイル４０、ポジショニング情報４１、および評価情報４２の関連付けを行わないようにしてもよい。例えば、取得要否１３６が否であった場合、第１受付部７６に、受け付けた動画像ファイル６５を破棄させるか、あるいは第１関連付け処理部７７にポジショニング情報４１の作成を中止させ、放射線画像ファイル４０、およびポジショニング情報４１を第１関連付け処理部７７で関連付けさせないようにする。もしくは、動画像ファイル６５の受け付け、ポジショニング情報４１の作成はするが、検像端末１５にポジショニング情報４１を送信させなくしてもよい。
【０１０７】
また、取得要否１３６が否であった場合、第２受付部８６に、受け付けた放射線画像ファイル４０、ポジショニング情報４１、および評価結果６６を破棄させるか、あるいは第１関連付け処理部７７に評価情報４２の作成を中止させ、放射線画像ファイル４０、ポジショニング情報４１、および評価情報４２を関連付けさせなくする。もしくは、評価結果６６の入力自体をさせないようにしてもよい。
【０１０８】
［第３実施形態］
上記第１実施形態では、オーダＩＤ５１により放射線画像ファイル４０、ポジショニング情報４１、および評価情報４２を関連付けているが、本発明はこれに限定されない。図２３に示す関連付け処理部１４５のように、オーダＩＤ５１とは別の事例ＩＤ１４６を放射線画像ファイル４０、ポジショニング情報４１、および評価情報４２に付与することで、放射線画像ファイル４０、ポジショニング情報４１、および評価情報４２を関連付けてもよい。
【０１０９】
また、オーダＩＤ５１等の共通の事例ＩＤを付して関連付けするのではなく、放射線画像ファイル４０、ポジショニング情報４１、および評価情報４２を一つのファイル形式に統合することで関連付けてもよい。
【０１１０】
上記第１実施形態では、携帯型コンソール３２に第１撮影者支援プログラム７５を記憶させて第１受付部７６、第１関連付け処理部７７の機能を担わせ、検像端末１５に第２撮影者支援プログラム８５を記憶させて第２受付部８６、第２関連付け処理部８７の機能を担わせ、さらに撮影事例管理装置１６に第３撮影者支援プログラム９５を記憶させて通信制御部９６、作成部９７、検索部９８の機能を担わせているが、例えば第２、第３撮影者支援プログラム８５、９５を統合した撮影者支援プログラムを検像端末１５に記憶させ、第２受付部８６、第２関連付け処理部８７、通信制御部９６、作成部９７、検索部９８の機能を全て検像端末１５に担わせてもよい。この場合、撮影事例５０を記憶する記憶部は、上記第１実施形態の撮影事例管理装置１６のストレージデバイス９０に代わり、検像端末１５のストレージデバイス８０が担う。
【０１１１】
また、ＰＡＣＳ１３は診断用画像ファイル４０Ｓの保存、管理用とし、ＰＡＣＳ１３とは別に撮影事例５０を専用に保存、管理する撮影事例管理装置１６を設けているが、ＰＡＣＳ１３にこの撮影事例管理装置１６の機能を担わせてもよい。
【０１１２】
また、上記第１実施形態では、携帯型コンソール３２の第１受付部７６で放射線画像ファイル４０およびポジショニング情報４１を受け付け、これらを第１関連付け処理部７７で関連付けたうえで、検像端末１５の第２受付部８６で放射線画像ファイル４０、ポジショニング情報４１、および評価結果６６を受け付け、放射線画像ファイル４０、ポジショニング情報４１、および評価情報４２を第２関連付け処理部８７で関連付けるというように、本発明の受付部および関連付け処理部が携帯型コンソール３２と検像端末１５に分散して配置されているが、この場合も当然ながら本発明に含まれる。このように、本発明の撮影者支援装置は、複数台のコンピュータに各機能部が分散して配置されていてもよいし、１台のコンピュータに各機能部が集約して配置されていてもよい。
【０１１３】
上記第１実施形態では、検索部９８で検索した撮影事例５０を、通信制御部９６により通信部９３を介して携帯型コンソール３２に送信し、携帯型コンソール３２で撮影事例５０を閲覧しているが、撮影事例管理装置１６に撮影事例５０の検索キーを入力するための入力デバイスと、検索した撮影事例５０を表示するディスプレイを設け、撮影者Ｒが携帯型コンソール３２だけでなく撮影事例管理装置１６を介して撮影事例５０を閲覧できるようにしてもよい。
【０１１４】
上記第１実施形態では、ポジショニングの様子を示す動画像を撮影するカメラとして、撮影条件６２を設定するための携帯型コンソール３２に内蔵のカメラ３４を例示しているが、携帯型コンソール３２に内蔵のカメラ３４とは別のコンパクトカメラや定点カメラでポジショニングの様子を示す動画像を撮影してもよい。しかし、携帯型コンソール３２は、放射線撮影時に撮影者Ｒにより携帯されるものであるため、携帯型コンソール３２に内蔵のカメラ３４で動画像を撮影したほうがより手軽で定点カメラ設置等の手間も掛からないため好ましい。
【０１１５】
また、動画像ではなく静止画像を撮影してもよく、動画像の場合は音声を収録しなくてもよい。しかし、動画像であったほうが、ポジショニングの作業の流れを確認することができるためより好ましい。そして、動画像に加えて音声も収録しておけば、撮影者Ｒが患者Ｐに対して話したポジショニングに関する指示も確認することができるためさらに好ましい。
【０１１６】
上記第１実施形態では、ポジショニングを評価する評価者として、放射線画像６３を読影医や診療科の医師に供する前に、放射線画像６３が診断に利用可能か否かを判断する検像者Ｃを挙げたが、これに加えて、または代えて、読影医や診療科の医師を評価者としてもよい。この場合、読影科の端末や診療科の端末１８に第２撮影者支援プログラム８５を記憶させて第２受付部８６、第２関連付け処理部８７の機能を担わせる。評価者を検像者、読影医、診療科の医師の３人とした場合は、検像端末１５、読影科の端末、診療科の端末１８にそれぞれ第２撮影者支援プログラム８５を記憶させてそれぞれの端末に第２受付部８６、第２関連付け処理部８７の機能を担わせる。この場合は３人分の評価情報４２が放射線画像ファイル４０、ポジショニング情報４１と関連付けられる。
【０１１７】
なお、上記各実施形態で示したとおり、本発明は、プログラムの形態、さらにはプログラムを記憶する記憶媒体にも及ぶ。また、本発明は、上記各実施形態に限らず、本発明の要旨を逸脱しない限り種々の構成を採り得ることはもちろんである。例えば、放射線画像６３や撮影条件６２等は、放射線画像ファイル４０のようにファイル形式でまとめられていなくてもよい。また、ポジショニングの評価として５段階評価の評点６７を例示しているが、５段階評価の代わりに、例えば１００点で満点となる点数をつけてもよい。
【符号の説明】
【０１１８】
１０  医療情報ネットワークシステム
１５  検像端末（撮影者支援装置）
１６  撮影事例管理装置（撮影者支援装置）
３２  携帯型コンソール（撮影者支援装置）
３３  タッチパネル
３４  カメラ
４０  放射線画像ファイル
４１  ポジショニング情報
４２  評価情報
５１  オーダＩＤ
６３  放射線画像
６５  動画像ファイル
６７  評点
６８  批評
７２、８２、９２  ＣＰＵ
７５、８５、９５  第１、第２、第３撮影者支援プログラム
７６、８６  第１、第２受付部
７７、８７  第１、第２関連付け処理部
９０  ストレージデバイス
９３  通信部
９６  通信制御部
９７  作成部
９８  検索部
１００  画像ＤＢ
１０１  ＰＩＤＢ（ポジショニング情報ＤＢ）
１０２  ＶＩＤＢ（評価情報ＤＢ）
１０５、１４０  撮影条件設定ウィンドウ
１１１ａ、１１１ｂ  動画撮影開始ボタン、動画撮影停止ボタン
１２０  撮影事例閲覧ウィンドウ
１３５  表示制御部
１３６  取得要否
１４５  関連付け処理部
１４６  事例ＩＤ
【図１】
2015191557.tif 000003
【図２】
2015191557.tif 000004
【図３】
2015191557.tif 000005
【図４】
2015191557.tif 000006
【図５】
2015191557.tif 000007
【図６】
2015191557.tif 000008
【図７】
2015191557.tif 000009
【図８】
2015191557.tif 000010
【図９】
2015191557.tif 000011
【図１０】
2015191557.tif 000012
【図１１】
2015191557.tif 000013
【図１２】
2015191557.tif 000014
【図１３】
2015191557.tif 000015
【図１４】
2015191557.tif 000016
【図１５】
2015191557.tif 000017
【図１６】
2015191557.tif 000018
【図１７】
2015191557.tif 000019
【図１８】
2015191557.tif 000020
【図１９】
2015191557.tif 000021
【図２０】
2015191557.tif 000022
【図２１】
2015191557.tif 000023
【図２２】
2015191557.tif 000024
【図２３】
2015191557.tif 000025